(57)【要約】【課題】  無線ヘッドセット装置を筐体と一体化して取り扱うようにして、使い勝手の向上を図る。【解決手段】  スピーカ２３とマイクロホン２８と無線送受信回路部とを有して無線接続されることにより通話を行うことが可能な無線ヘッドセット装置２０が用いられ、この無線ヘッドセット装置２０を収納するヘッドセット収納ケース３０を備え、このヘッドセット収納ケース３０が筐体４の第１主面部４ａと対向する第２主面部４ｂに形成した取付部１４に対して着脱自在に組み合わされる。【選択図】  図３
2005318287.tif 000002
【特許請求の範囲】
【請求項１】
スピーカとマイクロホンと無線送受信回路部とを有して無線接続されて通話を行う無線ヘッドセット装置を無線接続して用いる携帯電話機において、
前記無線ヘッドセット装置を収納するヘッドセット収納ケースを備え、このヘッドセット収納ケースがダイヤルボタンを配置した第１主面部と対向する筐体の第２主面部に形成した取付部に対して着脱自在に組み合わされることを特徴とする携帯電話機。
【請求項２】
前記無線ヘッドセット装置が、前記スピーカとブルートゥース無線通信方式に基づく前記無線送受信回路部とを内蔵した本体部と、この本体部から突出形成されて利用者の耳殻に掛け合わされて前記本体部を保持するとともに先端部に前記マイクロホンが内蔵された弾性アーム部とから構成されることを特徴とする請求項１に記載の携帯電話機。
【請求項３】
前記筐体の第２主面部に、スライドガイド部が一体に形成され、このスライドガイド部に対して前記ヘッドセット収納ケースがスライド自在かつ着脱自在に組み合わされることを特徴とする請求項１又は請求項２に記載の携帯電話機。
【請求項４】
前記筐体の第２主面部に、回転支持部が一体に形成され、この回転支持部に対して前記ヘッドセット収納ケースが回転自在かつ着脱自在に組み合わされることを特徴とする請求項１又は請求項２に記載の携帯電話機。
【請求項５】
前記ヘッドセット収納ケースに、一端側が外部に露出されて充電端子部を構成するとともに他端側が内部のヘッドセット収納空間部に露出されて給電端子部を構成する一対の充電端子部材が設けられ、
前記充電端子部が充電器と接続されるとともに前記給電端子部が前記ヘッドセット収納空間部内に収納された前記無線ヘッドセット装置の充電端子と接続されることにより、未使用時において前記本体部に収納された二次電池の充電とともに前記無線ヘッドセット装置の充電も行われることを特徴とする請求項１乃至請求項４のいずれか１項に記載の携帯電話機。
【請求項６】
前記筐体の第２主面部側に電源回路部と接続された一対の充電端子部材が設けられるとともに、前記ヘッドセット収納ケース側に装着した状態において前記各充電端子部材と接続される一対の充電端子部材が設けられ、
前記本体部に収納された二次電池を充電用電源として、前記充電端子部材を介して前記ヘッドセット収納ケース内に収納された前記無線ヘッドセット装置の充電を行うことを特徴とする請求項１乃至請求項４のいずれか１項に記載の携帯電話機。
【発明の詳細な説明】
【技術分野】
【０００１】
本発明は、携帯電話機に関し、さらに詳しくは無線ヘッドセット装置を用いることが可能な携帯電話機に関する。
【背景技術】
【０００２】
携帯電話機は、すさまじいほどの多機能化及び複合化が図られており、通話装置としての機能から情報端末装置として機能の比重が大きくなっている。携帯電話機においては、大容量のメモリや情報コネクタを備えることによって、例えばコンピュータと接続することにより各種の情報等の授受が行われている。携帯電話機においては、例えばインターネット網や音楽配信サービス網等と接続して種々の情報やコンテンツ等を入手し、これら情報を液晶表示器に表示したりスピーカによって聴取したりする。携帯電話機においては、例えば搭載したＣＣＤカメラによって撮像した画像情報を待受け画面として液晶表示器に表示したりコンピュータや通話相手に伝送したりすることも一般に行われている。
【０００３】
携帯電話機においては、付属機器として利用者が把持して耳と口にスピーカ部とマイクロホン部とをあてがった状態で把持することなく、いわゆるハンズフリーの態様によって相手側との通話を行い得るようにするヘッドセット装置を接続可能としたものも提供されている。また、ヘッドセット装置には、スピーカとマイクロホンとを内蔵しているが、無線送受信回路部を有して携帯電話機と無線接続される無線ヘッドセット装置も提供されている。さらに、ヘッドセット装置には、利用者の頭部に装着されるものばかりではなく、耳殻に引っ掛けるようにして装着する小型のものも提供されている。（例えば、特許文献１乃至特許文献３を参照。）。
【０００４】
ところで、携帯電話機は、コンピュータ等との無線接続が例えばＩｒＤＡ（Inffared Data Association）規格に基づく赤外線無線通信方式やブルートゥース（Bluetooth）無線通信方式に基づく近距離無線データ通信技術方式により無線接続が可能となっている。携帯電話機は、付属装置として用いるヘッドセット装置についても、かかるブルートゥース無線通信方式による無線接続を行うように構成することによって、手持ちすることなく通話を行うことが可能とされる。
【特許文献１】特開平９−９３１５３号公報
【特許文献２】特開２０００−３２４２１８号公報
【特許文献３】特開２００２−１１８６３５号公報
【発明の開示】
【発明が解決しようとする課題】
【０００５】
ところで、携帯電話機においては、無線ヘッドセット装置が独立した装置として構成されることにより、この無線ヘッドセット装置を未使用時に保管するための収納ケースを必要とする。携帯電話機においては、無線ヘッドセット装置を収納ケースに入れたままで置き忘れて外出し肝心なときに使用することができないといったことも多く、収納ケースに入れたままで紛失してしまうことも多いといった問題があった。
【０００６】
携帯電話機には、筐体の外周部に露出する充電端子が設けられており、未使用時等において充電器内に差し込まれることによって内蔵した二次電池の充電が行われる。携帯電話機においては、一般にヘッドセット装置を有線で接続して用いる場合に、このヘッドセット装置に対して接続ケーブルを介して電源の供給を行っている。携帯電話機においては、接続ケーブルが、音声信号の伝送線と電源線とを有するとともに電源線側からの音声信号線へのノイズの重畳を防止するために互いにシールドする仕様のものが用いられている。
したがって、携帯電話機においては、接続ケーブルが太径となり引き回しや取り扱いが面倒であった。
【０００７】
一方、携帯電話機においては、無線ヘッドセット装置を接続して使用する場合には、上述した接続ケーブルに起因する問題も解消されて取り扱いが簡便となる。しかしながら、無線ヘッドセット装置においては、携帯電話機側から電源の供給を受けられないために、自らも充電可能な二次電池が内蔵される。無線ヘッドセット装置においては、特に耳掛け型の場合に小型であることから大容量の電池を備えることができずに長時間に亘る使用が困難であった。無線ヘッドセット装置は、二次電池の充電操作も必要であり、携帯電話機用とは別の充電器が必要であるとともについつい充電操作を忘れてしまうことが多い。
【０００８】
したがって、本発明は、無線ヘッドセット装置を一体化して取り扱うようにして、使い勝手の向上を図った携帯電話機を提供することを目的に提案されたものである。
【課題を解決するための手段】
【０００９】
上述した目的を達成する本発明にかかる携帯電話機は、スピーカとマイクロホンと無線送受信回路部とを有して無線接続されることにより通話を行うことが可能な無線ヘッドセット装置が用いられ、この無線ヘッドセット装置を収納するヘッドセット収納ケースを備え、このヘッドセット収納ケースがダイヤルボタンを配置した第１主面部と対向する筐体の第２主面部に形成した取付部に対して着脱自在に組み合わされる。
【００１０】
以上のように構成された本発明にかかる携帯電話機によれば、無線ヘッドセット装置を収納するヘッドセット収納ケースを筐体に着脱自在に設けたことから、未使用時においても無線ヘッドセット装置を一体化した状態で持ち運びするとともに必要に応じてヘッドセット収納ケースから取り出されて使用される。
【００１１】
また、携帯電話機は、無線ヘッドセット装置が、スピーカとブルートゥース無線通信方式に基づく無線送受信回路部とを内蔵した本体部と、この本体部から突出形成されて利用者の耳殻に掛け合わされて本体部を保持するとともに先端部にマイクロホンが内蔵された弾性アーム部とから構成される。携帯電話機においては、無線ヘッドセット装置が、小型で汎用性の大きなブルートゥース無線通信方式の無線送受信回路部を備えることによって小型化が図られており、利用者が弾性アーム部を耳殻に掛け合わせることにより本体部が耳穴を覆いかつ弾性アーム部の先端に内蔵したマイクロホンが口元に対向位置されて用いられる。
【００１２】
さらに、携帯電話機は、筐体の第２主面部に、スライドガイド部が一体に形成され、このスライドガイド部に対してヘッドセット収納ケースがスライド自在かつ着脱自在に組み合わされる。また、携帯電話機は、筐体の第２主面部に、回転支持部が一体に形成され、この回転支持部に対してヘッドセット収納ケースが回転自在かつ着脱自在に組み合わされる。携帯電話機においては、筐体の第２主面部にヘッドセット収納ケースを着脱自在に設けたことにより、通常の使用方法によって使用される。
【００１３】
さらに、携帯電話機は、ヘッドセット収納ケースに、一端側が外部に露出されて充電端子部を構成するとともに他端側が内部のヘッドセット収納空間部に露出されて給電端子部を構成する一対の充電端子部材が設けられる。携帯電話機においては、充電端子部が充電器と接続されるとともに給電端子部がヘッドセット収納空間部内に収納された無線ヘッドセット装置の充電端子と接続されることにより、未使用時において本体部に収納された二次電池の充電とともに無線ヘッドセット装置の充電も行われる。
【００１４】
さらに、携帯電話機は、筐体の第２主面部側に電源回路部と接続された一対の充電端子
部材が設けられるとともに、ヘッドセット収納ケース側に装着した状態において各充電端子部材と接続される一対の充電端子部材が設けられる。携帯電話機においては、本体部に収納された二次電池を充電用電源として、充電端子部材を介してヘッドセット収納ケース内に収納された無線ヘッドセット装置の充電が行われる。
【発明の効果】
【００１５】
以上のように構成された本発明にかかる携帯電話機によれば、ヘッドセット収納ケースを介して無線ヘッドセット装置を常に一体化した状態で取り扱うようにすることから、外出等に際して無線ヘッドセット装置を忘れて肝心な時に使用することができないといった不都合の発生を解消し、また紛失も防止されるようにする。携帯電話機によれば、無線ヘッドセット装置を必要な時にヘッドセット収納ケースからすぐに取り出して使用するとともに、用済み後には邪魔にならないようにヘッドセット収納ケースに収納することで使い勝手の向上が図られるようにする。
【００１６】
携帯電話機によれば、無線ヘッドセット装置の充電操作も簡易に行うことが可能であることから、充電不足による使用不能といった事態の発生を回避し、また長時間での使用も可能とする。
【発明を実施するための最良の形態】
【００１７】
以下、本発明の実施の形態として示す携帯電話機１について図面を参照して詳細に説明する。携帯電話機１は、図１及び図２に示すようにダイヤルボタン２や機能ボタン３等を第１主面部４ａに配列した第１筐体部４と、第１主面部５ａに液晶表示器６を搭載した第２筐体部５とが相対する一端側に形成したヒンジ部７を介して折り畳み自在に組み合わされている。携帯電話機１は、基本的な機能を従来の携帯電話機と同様としており、通話機能、データ送受信機能或いはブルートゥース無線通信機能等を搭載した無線送受信回路部やカメラ機能等を搭載している。
【００１８】
携帯電話機１には、第１筐体部４の第１主面部４ａにヒンジ部７と対向する端部の近傍に位置してマイクロホンを収納したマイクロホン部８が設けられるとともに、第２筐体部５の第１主面部５ａにヒンジ部７と対向する端部の近傍に位置してスピーカを収納したスピーカ部９が設けられている。携帯電話機１には、第１筐体部４の第２主面部４ｂに、ヒンジ部７を形成した一端側に位置してアンテナ取付筒部１０が形成され、このアンテナ取付筒部１０にアンテナ１１が伸縮自在に取り付けられている。
【００１９】
携帯電話機１には、図２に示すように第１筐体部４のヒンジ部７と対向する外周側面部４ｃに外部機器との接続を行うための端子を内蔵した接続部１２が設けられるとともに、この接続部１２を挟んで一対の充電端子１３ａ、１３ｂが露出されて設けられている。携帯電話機１には、同図に示すように第１筐体部４の第１主面部４ａと対向する第２主面部４ｂにケース取付部１４が一体に形成されており、このケース取付部１４に詳細を後述する無線ヘッドセット装置２０を収納するヘッドセット収納ケース３０を着脱自在に組み付ける。
【００２０】
充電端子１３ａ、１３ｂは、詳細を省略するがそれぞれ開口部の底部に臨ませて設けられており、第１筐体部４の内部に設けられた図示を省略する充電回路部を介して二次電池と接続されている。充電端子１３ａ、１３ｂには、携帯電話機１が図示しない充電器に装着されることによって、この充電器側の充電用端子がそれぞれ開口部内に嵌合して接続され、二次電池の充電が行われるようにする。
【００２１】
ケース取付部１４は、図２に示すように第２主面部４ｂに対して段落ちされた部位１５と、この段落ち部位１５に幅方向に対向離間して一体に形成された長さ方向の一対のスラ
イドガイド凸部１６ａ、１６ｂと、段落ち部位１５のヒンジ部７側の内壁に形成された係合凹部１７とから構成される。また、ケース取付部１４には、外周側面部４ｃ側でスライドガイド凸部１６ａ、１６ｂの内側に位置して一対の充電用端子１８ａ、１８ｂが設けられている。なお、充電用端子１８ａ、１８ｂは、詳細を省略するがそれぞれ開口部の底部に臨ませて設けられており、電源回路と接続されている。
【００２２】
スライドガイド凸部１６ａ、１６ｂは、それぞれ段落ち部位１５から立ち上がる立壁部と、これら立壁部の上端から外側に向かって水平方向に折曲された係止部とからなる断面略Ｌ字状を呈している。スライドガイド凸部１６ａ、１６ｂは、かかる形状によって、第１筐体部４の第２主面部４ｂに、外周側面部４ｃに開放された長さ方向のスライドガイド溝１９ａ、１９ｂを構成する。
【００２３】
携帯電話機１は、使用時には図１に示すように第１筐体部４と第２筐体部５とがヒンジ部７を介して展開される。携帯電話機１は、未使用時には図２に示すように第１筐体部４と第２筐体部５とが相対する第１主面部４ａ、５ａを突き合わせるようにヒンジ部７を介して折り畳まれる。携帯電話機１は、上述したように通話機能によって電話回線網と接続して相手側と通話を行うとともにデータ送受信機能によって例えばメール通信やデータ通信を行い、また音楽や各種コンテンツの配信サービスを受けたりテレビ放送を受信して番組を視聴することが可能である。携帯電話機１は、ブルートゥース無線通信機能によって例えばコンピュータやオーディオ機器等と接続されることにより、コンピュータやオーディオ機器から出力された画像情報を液晶表示器６の画面で見ながらスピーカ９から音響情報の視聴を可能とする。
【００２４】
ブルートゥース規格に基づく無線通信方式は、周知のように２．４５ＧＨｚ周波数帯域を利用して１０メートルの通信範囲で最大７２１ｋビット／秒程度のデータ伝送速度によりデータ伝送を行う。ブルートゥース無線通信方式においては、例えばアンテナ素子、ＲＦ回路とベースバンド信号処理回路、フラッシュＥＥＰＲＯＭ（electrically erasable/programable readonly memory）或いは水晶発振器等を有するブルートゥースモジュールとして一般にチップ部品が提供されており、小型で汎用性が大きい。携帯電話機１は、このブルートゥースモジュールチップを図示しない回路基板に搭載することによって無線送受信回路部を構成して、同等のブルートゥースモジュールチップを備える上述した各種の機器との間において無線により種々の情報の授受を行う。
【００２５】
無線ヘッドセット装置２０は、携帯電話機１のオプション機器として提供され、上述したブルートゥース規格に基づく無線通信方式によって携帯電話機１と無線接続されて用いられる。無線ヘッドセット装置２０は、詳細を省略するが利用者が耳殻に掛け合わせて使用することにより、後述するスピーカ２３が耳と対向されるとともにマイクロホン２８が口元と対向される。無線ヘッドセット装置２０は、携帯電話機１がそのマイクロホン部８とスピーカ部９とを耳や口元にあてがうように手持して保持せずとも、また液晶表示器６の画面を見ながらでも通信を行うことを可能とする。
【００２６】
また、無線ヘッドセット装置２０は、携帯電話機１が例えば音楽や各種コンテンツの配信サービスを受けたりテレビ放送を受信して番組を視聴したりする場合にも、液晶表示器６の画面を見ながらコンテンツや放送番組の視聴を可能とする。無線ヘッドセット装置２０は、携帯電話機１が例えばコンピュータやオーディオ機器等とブルートゥース無線通信方式によって接続されることにより、コンピュータやオーディオ機器から出力された画像情報を液晶表示器６の画面で見ながらスピーカ部９から放音される音響情報等の視聴を可能とする。
【００２７】
無線ヘッドセット装置２０は、図３及び図４に示すように、一般的な大人の耳の大きさ
とほぼ等しい外形寸法を有する全体略縦長楕円形状を呈して形成された本体部２１と、この本体部２１から一体に突出形成された弾性アーム部２２とから構成される。無線ヘッドセット装置２０には、本体部２１内に、詳細を省略するがスピーカ２３が内蔵されるとともに、ブルートゥースモジュールチップや制御回路部或いは電源回路部等を搭載した回路基板や内部諸回路等に対して電源を供給する二次電池２４が内蔵されている。
【００２８】
無線ヘッドセット装置２０には、本体部２１の底面部に、後述するようにヘッドセット収納ケース３０に収納された状態で携帯電話機１が充電器に装着されるとこの携帯電話機１と同時に二次電池２４の充電が行われるようにするための一対の充電端子２５ａ、２５ｂが外周部に露出されて設けられている。無線ヘッドセット装置２０には、本体部２１の外周部にオン・オフの切換を行うスイッチボタンやボリュームボタン等のスイッチボタン２６が設けられている。なお、無線ヘッドセット装置２０は、これら充電端子２５ａ、２５ｂやスイッチボタン２６が本体部２１の外周面と略同一面を構成するようにして設けられており、不用意に操作されないように構成されている。
【００２９】
無線ヘッドセット装置２０には、本体部２１の略頂頭部に位置して取付部２７が一体に突出形成されており、この取付部２７を介して基端部が一体化されることにより本体部２１から弾性アーム部２２が突出形成されている。弾性アーム部２２は、詳細を省略するが例えばエラストマー等の弾性材によって全体略筒状を呈して形成された外筒部と、この外筒部の内部に全長に亘って埋設された多数本のピアノ線等の金属線とから構成される。弾性アーム部２２は、本体部２１の外周部を略半周分取り囲むようにして半円弧状を呈するとともに、中央部からやや先端側の部位が次第に捻られることによって利用者の耳殻に掛け合わされて本体部２１を保持する。
【００３０】
無線ヘッドセット装置２０は、弾性アーム部２２の先端部にマイクロホン２８を収納する。無線ヘッドセット装置２０は、詳細を省略するが弾性アーム部２２内にリード線が導通され、このリード線の一端部がマイクロホン２８と接続されるとともに他端部が本体部２１の回路基板に設けた音響処理回路部と接続される。
【００３１】
以上のように構成された無線ヘッドセット装置２０は、本体部２１が耳孔にあてがわれるとともに、弾性アーム部２２が耳殻に掛け合わされることによって利用者の耳に装着される。無線ヘッドセット装置２０は、本体部２１と弾性アーム部２２とによって耳殻を挟み込むとともに、耳殻に弾性アーム部２２が懸架された状態を呈し、極めて簡易な操作によって装着することが可能である。無線ヘッドセット装置２０においては、装着した状態で弾性アーム部２２の曲がり状態が適宜調整されることにより、先端部に内蔵したマイクロホン２８が利用者の口元と対向位置される。
【００３２】
無線ヘッドセット装置２０においては、携帯電話機１によって相手者との通話が行われる場合にスイッチボタン２６をオン操作することによって、スピーカ２３とマイクロホン２８とにより手持せずともいわゆるハンズフリーの形態で通話を行うことを可能とする。無線ヘッドセット装置２０においては、携帯電話機１において受信した被呼者側の音声がブルートゥース無線通信方式によって無線伝送されて、スピーカ２３から再生される。また、無線ヘッドセット装置２０においては、利用者の音声がブルートゥース無線通信方式によって携帯電話機１側に無線伝送され、携帯電話機１から被呼者へと発信される。
【００３３】
無線ヘッドセット装置２０においては、上述したように本体部２１にスピーカ２３を内蔵するとともに弾性アーム部２２の先端部にマイクロホン２８を内蔵した構造である。無線ヘッドセット装置２０においては、スピーカ２３とマイクロホン２８とが充分な間隔に保持され、通話時にエコーやハウリングの発生が防止されて良好な通話特性を保持して通話が行われるようになる。無線ヘッドセット装置２０においては、スピーカ２３が利用者
の耳元に密着するとともに口元に近接してマイクロホン２８が対向配置される。無線ヘッドセット装置２０においては、外部への音漏れが最小限となり秘話性の向上が図られるようになるとともに、例えば騒音雰囲気の中でも明瞭な通話を行うことが可能となる。
【００３４】
なお、無線ヘッドセット装置２０は、上述したように先端部にマイクロホン２８を内蔵した弾性アーム部２２を耳殻に掛け合わせてスピーカを内蔵した本体部２１を保持するようにしたが、かかる構造に限定されるものでは無いことは勿論である。無線ヘッドセット装置２０は、例えば従来の無線ヘッドセット装置と同様に本体部の内部にスピーカとともにマイクロホンを内蔵して構成するようにしてもよい。
【００３５】
携帯電話機１においては、無線ヘッドセット装置２０を使用しない場合に、ヘッドセット収納ケース３０に収納するとともに、このヘッドセット収納ケース３０を図２鎖線で示すように第１筐体部４のケース取付部１４に取り付けることによって一体化して取り扱うことを可能とする。ヘッドセット収納ケース３０は、底面部３１と、その外周部にほぼ全周に亘って一体に立設された外周壁部３２とからなり、内部にヘッドセット収納空間部３０ａを構成した全体が略矩形浅皿状に形成されている。
【００３６】
なお、ヘッドセット収納ケース３０は、上述した略矩形浅皿状の形状に限定されるものではなく、携帯電話機１の意匠を損なわない種々の形状に形成される。ヘッドセット収納ケース３０は、従来のヘッドセット収納ケースと同様に携帯電話機１から取り外して携帯することも可能とするように、例えば開口部を開閉する蓋付き構造とするようにしてもよい。ヘッドセット収納ケース３０は、例えば外周壁部３２と蓋部とを薄肉連結部を介して一体化することにより、構造が簡易で薄型化が保持される。
【００３７】
ヘッドセット収納ケース３０は、図３及び図４に示すように、底面部３１の外形寸法がケース取付部１４の段落ち部位１４の外形寸法とほぼ同等に形成されるとともに外周壁部３２の高さ寸法が段落ち部位１４の高さ寸法よりもやや大きく形成されている。ヘッドセット収納ケース３０には、幅方向の相対する外周壁部３２ａ、３２ｂの内面に長さ方向の全域に亘ってスライドガイド溝３３ａ、３３ｂが形成されている。スライドガイド溝３３ａ、３３ｂは、上述した携帯電話機１に形成されたスライドガイド凸部１６ａ、１６ｂの係止部と同一高さ位置で、それぞれの断面寸法をほぼ等しくして形成されている。スライドガイド溝３３ａ、３３ｂは、相対するスライドガイド凸部１６ａ、１６ｂが係合することにより、ヘッドセット収納ケース３０を段落ち部位１５にスライド自在に組み合わせるようにする。
【００３８】
ヘッドセット収納ケース３０には、図３に示すように長さ方向の一端側の外周壁部３２ｃに断面楔状の係合凸部３４が一体に突設されている。係合凸部３４は、ヘッドセット収納ケース３０がスライドガイド凸部１６ａ、１６ｂにスライドガイド溝３３ａ、３３ｂを相対係合させて段落ち部位１５に組み合わせた状態において、係合凹部１７に係合することによりヘッドセット収納ケース３０を保持する。
【００３９】
ヘッドセット収納ケース３０には、図３及び図４に示すように係合凸部３４を形成した外周壁部３２ｃと対向する外周壁部３２ｄの内側に位置して端子ブロック体３５が組み付けられている。端子ブロック体３５は、詳細を省略するが外周壁部３２ｄに形成した端子開口を介して外方に臨ませられる一対の第１充電端子３６ａ、３６ｂを有している。端子ブロック体３５は、上方へと突出して携帯電話機１側の充電用端子１８ａ、１８ｂと接続される第２充電端子３６ｃ、３６ｄが設けられている。
【００４０】
ヘッドセット収納ケース３０には、詳細を省略するが底面部３１に、端子ブロック体３５から引き出されたリードに接続されて一対の充電用端子３７ａ、３７ｂが設けられてい
る。充電用端子３７ａ、３７ｂは、無線ヘッドセット装置２０側の充電端子２５ａ、２５ｂと対応して底面部３１に設けられており、第１充電端子３６ａ、３６ｂと接続される。
【００４１】
第１充電端子３６ａ、３６ｂは、ヘッドセット収納ケース３０のヘッドセット収納空間部３０ａ内に無線ヘッドセット装置２０を収納した状態で携帯電話機１に組み合わされるとともにこの携帯電話機１が充電器に装着されると、充電器側の充電端子と接続される。第２充電端子３６ｃ、３６ｄは、ヘッドセット収納ケース３０が携帯電話機１のケース取付部１４に組み合わされた状態において、充電用端子１８ａ、１８ｂと接続される。
【００４２】
充電用端子３７ａ、３７ｂは、ヘッドセット収納空間部３０ａ内に無線ヘッドセット装置２０が収納した状態で、この無線ヘッドセット装置２０側の充電端子２５ａ、２５ｂと接続される。ヘッドセット収納ケース３０は、端子ブロック体３５によって、携帯電話機１の充電操作とともに無線ヘッドセット装置２０の二次電池２４の充電が行われるようにする。ヘッドセット収納ケース３０は、携帯電話機１に組み合わされることにより、携帯電話機１の二次電池を電源として無線ヘッドセット装置２０の二次電池２４の充電が行われるようにする。
【００４３】
なお、無線ヘッドセット装置２０は、より小型化を図る場合には特に充電構造を設ける必要も無い。また、無線ヘッドセット装置２０は、充電構造が上述した構造に限定されるものでは無く、例えば本体部２１の適宜の箇所に充電端子を設けて直接充電器によって二次電池２４の充電を行うようにしてもよい。また、無線ヘッドセット装置２０の充電構造は、例えば携帯電話機１の外周側面部４ｃを覆う部位を設け、この部位に充電用端子１８ａ、１８ｂと接続される端子片を設け、これら端子片を介して携帯電話機１の充電と二次電池２４の充電とが行われるようにしてもよい。
【００４４】
ヘッドセット収納ケース３０には、底面部３１に、ヘッドセット収納空間部３０ａ内に収納される無線ヘッドセット装置２０を保持する保持片３８、３９ａ、３９ｂが一体に立設されている。保持片３８は、図４に示すように無線ヘッドセット装置２０の本体部２１の外周部を外周壁部３２との間で挟み込むことによって保持する。保持片３９ａ、３９ｂは、大きく湾曲させた弾性アーム部２２を外周壁部３２との間で挟み込むことによって保持する。なお、ヘッドセット収納ケース３０は、例えば底面部３１に凹陥部を形成して無線ヘッドセット装置２０を嵌合させて保持する等の適宜の保持構造を形成するようにしてもよい。
【００４５】
携帯電話機１においては、未使用時に無線ヘッドセット装置２０をヘッドセット収納ケース３０のヘッドセット収納空間部３０ａ内に収納するとともに、このヘッドセット収納ケース３０をケース取付部１４に組み合わせて一体化する。携帯電話機１においては、第１筐体部４に対してその外周側面部４ｃ側からヘッドセット収納ケース３０が、図５に示すように相対するスライドガイド凸部１６ａ、１６ｂとスライドガイド溝３３ａ、３３ｂとを係合させてスライド操作される。携帯電話機１においては、ケース取付部１４に対してヘッドセット収納ケース３０が一杯に押し込まれることによって係合凹部１７に係合凸部３４が係合して一体化される。
【００４６】
携帯電話機１においては、ヘッドセット収納ケース３０を介して無線ヘッドセット装置２０が常に一体化されて取り扱われることから、外出等に際して無線ヘッドセット装置２０を忘れて肝心な時に使用することができないといった不都合の発生を解消し、また紛失も防止されるようになる。また、携帯電話機１においては、第１筐体部４に対してヘッドセット収納ケース３０が簡易な操作によって着脱されることで、必要時に無線ヘッドセット装置２０をヘッドセット収納ケース３０からすばやく取り出して使用することが可能である。携帯電話機１においては、用済み後には無線ヘッドセット装置２０を邪魔にならな
いようにヘッドセット収納ケース３０に収納することで使い勝手の向上が図られる。
【００４７】
なお、携帯電話機１においては、第１筐体部４のケース取付部１４に一対のスライドガイド凸部１６ａ、１６ｂを一体に形成するとともに、ヘッドセット収納ケース３０側に一対のスライドガイド溝３３ａ、３３ｂを形成してスライド操作によりケース取付部１４に対してヘッドセット収納ケース３０を組み合わせて一体化するようにしたが、かかる構造に限定されるものでは無い。携帯電話機１においては、例えばケース取付部１４側にスライドガイド溝を形成するとともにヘッドセット収納ケース３０側にスライドガイド凸部を形成するようにしてもよい。
【００４８】
図６に第２の実施の形態として示した携帯電話機５０は、第１筐体部５１に対してヘッドセット収納ケース５２を回転自在かつ着脱自在に組み合わせる構造を備えている。携帯電話機５０は、ヘッドセット収納ケース５２の組み合わせ構造を除くその他の構成を上述した携帯電話機１と同様とすることから、対応する部位に同一符号を付すことによって説明を省略する。
【００４９】
携帯電話機５０は、第１筐体部５１の第２主面部５１ａに段落ちされてケース取付部５３が形成され、このケース取付部５３の一側部側に位置して係合孔５４が形成されるとともに、幅方向に離間した位置に係止孔５５ａ、５５ｂが形成されている。なお、携帯電話機５０は、これらの係合孔５４や係止孔５５ａ、５５ｂを底付き孔として形成することにより、第１筐体部５１の内部に埃等が侵入しないように構成することは勿論である。
【００５０】
ヘッドセット収納ケース５２には、底面部に係合孔５４に対向する支点軸部５６と、係止孔５５ａ、５５ｂに対向する係止凸部５７ａ、５７ｂが一体に形成されている。支点軸部５６は、詳細を省略するが係合孔５４の内径よりもやや大径とされるとともにすり割りを形成して縮径自在に構成される。係止凸部５７ａ、５７ｂは、詳細を省略するがその断面寸法が係止孔５５ａ、５５ｂの開口寸法とほぼ同等に形成されている。
【００５１】
ヘッドセット収納ケース５２は、携帯電話機５０の第１筐体部５１に対して、支点軸部５６を係合孔５４に対応位置させてケース取付部５３に組み合わされる。ヘッドセット収納ケース５２は、ケース取付部５３に組み合わせた状態で支点軸部５６の部位を強く押し込むことによってこの支点軸部５６が縮径して係合孔５４と嵌合することで、第１筐体部５１に対して回転自在に組み合わされる。ヘッドセット収納ケース５２は、係止凸部５７ａ、５７ｂが相対する係止孔５５ａ、５５ｂに嵌合されることによって、ケース取付部５３にしっかりと組み合わされて携帯電話機５０と一体化される。
【００５２】
携帯電話機５０においては、係止凸部５７ａ、５７ｂを係止孔５５ａ、５５ｂ内からやや浮き上がらせるようにしてヘッドセット収納ケース５２を側面方向に押すことにより、係合孔５４と嵌合した支点軸部５６を支点として回転操作させる。携帯電話機５０においては、このヘッドセット収納ケース５２の回転操作により、ヘッド収納空間部が開放されることにより収納した無線ヘッドセット装置２０が取り出される。なお、携帯電話機５０においては、ヘッドセット収納ケース５２を強く引き出すことにより、スリ割り構造によって支点軸部５６が縮径して係合孔５４から外れ、ケース取付部５３からの取り外しも可能とされる。
【００５３】
携帯電話機５０においては、ケース取付部５３に係合孔５４と係止孔５５ａ、５５ｂとを形成して第１筐体部５１の第２主面部５１ａが凹凸の無い平坦面として構成される。携帯電話機５０においては、ヘッドセット収納ケース５２を取り外して使用する場合でも、外観が保持されるとともに利用者が引っ掛かり感等を持つことなく把持される。
【００５４】
なお、上述した実施の形態においては、第１筐体部と第２筐体部とがヒンジ部によって折り畳み自在としたいわゆる折り畳み型の携帯電話機を示したが、一体のスティック型、或いは回転型であってもよいことは勿論である。
【図面の簡単な説明】
【００５５】
【図１】本発明の実施の形態として示す携帯電話機の使用状態の斜視図である。
【図２】携帯電話機のヘッドセット収納ケースを取り外した状態で背面側から示す斜視図である。
【図３】携帯電話機の分解側面図である。
【図４】無線ヘッドセット装置を収納したヘッドセット収納ケースの平面図である。
【図５】携帯電話機の一部切欠き底面図である。
【図６】第２の実施の形態として示す携帯電話機のヘッドセット収納ケースを取り外した状態で背面側から示す斜視図である。
【符号の説明】
【００５６】
１      携帯電話機
４      第１筐体部
５      第２筐体部
７      ヒンジ部
１３    充電端子
１４    ケース取付部
１５    段落ち部位
１６    スライドガイド凸部
１７    係合凹部
１９    スライドガイド溝
２０    無線ヘッドセット装置
２１    本体部
２２    弾性アーム部
３０    ヘッドセット収納ケース
３１    底面部
３２    外周壁部
３３    スライドガイド溝
３４    係合凸部
３５    端子ブロック体
３６    充電端子
３７    充電用端子
５０    携帯電話機
５１    第１筐体部
５２    ヘッドセット収納ケース
５３    ケース取付部
５４    係合孔
５６    支点軸部
【図１】
2005318287.tif 000003
【図２】
2005318287.tif 000004
【図３】
2005318287.tif 000005
【図４】
2005318287.tif 000006
【図５】
2005318287.tif 000007
【図６】
2005318287.tif 000008